(57)【要約】【課題】１台のスキャナによりスキャニングを行い、所望する複写物の出力状態に応じて、柔軟な複写処理を行える複写システムを提供する。【解決手段】コントローラにスキャナとカラープリンタとモノクロプリンタとを接続する。複写物の出力状態（フルカラー、モノクロ等）とスキャンモード（ＲＧＢスキャン、単色スキャン）とを出力情報データとしてコントローラに与えると、コントローラにおいて該出力情報データに基づいてスキャン条件、補正条件、出力条件が設定され、これらに基づいてスキャナおよび各プリンタが制御される。これにより、自由度の高く、かつ効率的な複写処理を行うことができる。【選択図】        図５
2004153644.tif 000002
【特許請求の範囲】
【請求項１】
複写物を生成するシステムであって、
ａ）カラー原稿を読み取り可能なスキャナと、
ｂ）フルカラー出力および単色カラー出力を選択的に実行するカラープリンタと、
ｃ）モノクロ出力を行うモノクロプリンタと、
ｄ）前記システムを制御する制御装置と、
を備え、
前記制御装置は、
ｄ−１）複写物の出力状態を決定し、かつ、前記スキャナにおけるスキャンモードを複数のスキャンモード選択肢の中から決定して、前記出力状態と前記スキャンモードとについての設定情報を含む出力情報を生成する出力情報生成手段と、
ｄ−２）前記出力情報に基づいて定められるスキャン条件に従って前記スキャナを制御し、前記スキャナに原稿画像データを生成させるスキャナ制御手段と、
ｄ−３）前記出力情報に応じて前記カラープリンタおよび前記モノクロプリンタのいずれかから定まる出力先プリンタにて印字可能な複写データを、前記原稿画像データに基づいて生成する複写データ生成手段と、
ｄ−４）前記出力情報に基づいて定められる出力条件に従って、前記複写データに基づく出力が実行されるように、前記出力先プリンタを制御するプリンタ制御手段と、
を備えることを特徴とする複写システム。
【請求項２】
請求項１に記載の複写システムであって、
前記スキャンモードは、
前記スキャナが検出する全ての色成分情報を用いて前記原稿画像データが生成されるフルモードと、
前記スキャナが検出する色成分情報のうちの１つを用いて前記原稿画像データが生成される単色モードと、
のいずれかから選択されることを特徴とする複写システム。
【請求項３】
請求項２に記載の複写システムであって、
前記制御装置が、
前記原稿画像データに対し、所定の画像補正処理を施す画像補正手段を、
さらに備えることを特徴とする複写システム。
【請求項４】
請求項３に記載の複写システムであって、
前記スキャンモードの設定に応じて、前記画像補正処理の内容を設定することを特徴とする複写システム。
【請求項５】
請求項１ないし請求項４のいずれかに記載の複写システムであって、
前記複写物の出力状態を、フルカラー出力、単色カラー出力、およびモノクロ出力の中から選択可能であることを特徴とする複写システム。
【請求項６】
請求項１ないし請求項５のいずれかに記載の複写システムであって、
前記スキャナが、Ａ１サイズ以上のサイズを有する原稿をスキャニング可能であることを特徴とする複写システム。
【請求項７】
カラー原稿を読み取り可能なスキャナと、
フルカラー出力および単色カラー出力を選択的に実行するカラープリンタと、
モノクロ出力を行うモノクロプリンタと、
を備え、複写物を生成する複写システムの制御装置であって、
複写物の出力状態を決定し、かつ、前記スキャナにおけるスキャンモードを複数のスキャンモード選択肢の中から決定して、前記出力状態と前記スキャンモードとについての設定情報を含む出力情報を生成する出力情報生成手段と、
前記出力情報に基づいて定められるスキャン条件に従って前記スキャナを制御し、前記スキャナに原稿画像データを生成させるスキャナ制御手段と、
前記出力情報に応じて前記カラープリンタおよび前記モノクロプリンタのいずれかから定まる出力先プリンタにて印字可能な複写データを、前記原稿画像データに基づいて生成する複写データ生成手段と、
前記出力情報に基づいて定められる出力条件に従って、前記複写データに基づく出力が実行されるように、前記出力先プリンタを制御するプリンタ制御手段と、
を備えることを特徴とする制御装置。
【請求項８】
請求項７に記載の制御装置であって、
前記スキャンモードは、
前記スキャナが検出する全ての色成分情報を用いて前記原稿画像データが生成されるフルモードと、
前記スキャナが検出する色成分情報のうちの１つを用いて前記原稿画像データが生成される単色モードと、
のいずれかから選択されることを特徴とする制御装置。
【請求項９】
請求項８に記載の制御装置であって、
前記原稿画像データに対し、所定の画像補正処理を施す画像補正手段を、
さらに備えることを特徴とする制御装置。
【請求項１０】
請求項９に記載の制御装置であって、
前記スキャンモードの設定に応じて、前記画像補正処理の内容を設定することを特徴とする制御装置。
【請求項１１】
請求項７ないし請求項１０のいずれかに記載の制御装置であって、
前記複写物の出力状態を、フルカラー出力、単色カラー出力、およびモノクロ出力の中から選択可能であることを特徴とする制御装置。
【請求項１２】
カラー原稿を読み取り可能な単一のスキャナと、
フルカラー出力を行うカラープリンタと、
モノクロ出力を行うモノクロプリンタと、
前記スキャナ、前記カラープリンタ、および前記モノクロプリンタを制御する制御装置と、
を備える複写システムを用いて複写物を生成する方法であって、
複写物の出力状態を決定し、かつ、前記スキャナにおけるスキャンモードを複数のスキャンモード選択肢の中から決定して、前記出力状態と前記スキャンモードとについての設定情報を含む出力情報を生成する出力情報生成工程と、
前記出力情報に基づいて定められるスキャン条件に従って前記スキャナを制御することにより、前記スキャナに原稿画像データを生成させる原稿画像生成工程と、
前記出力情報に応じて前記カラープリンタおよび前記モノクロプリンタのいずれかから定まる出力先プリンタにて印字可能な複写データを、前記原稿画像データに基づいて生成する複写データ生成工程と、
前記出力情報に基づいて定められる出力条件に従って前記出力先プリンタを制御することにより、前記複写データに基づく出力を実行する出力工程と、
を備えることを特徴とする複写物生成方法。
【請求項１３】
請求項１２に記載の複写物生成方法であって、
前記出力情報生成工程において、前記スキャンモードは、
前記スキャナが検出する全ての色成分情報を用いて前記原稿画像データが生成されるフルモードと、
前記スキャナが検出する色成分情報のうちの１つを用いて前記原稿画像データが生成される単色モードと、
のいずれかから選択されることを特徴とする複写物生成方法。
【請求項１４】
請求項１３に記載の複写物生成方法であって、
前記原稿画像データに対し所定の画像補正処理を施す画像補正工程を、
含むことを特徴とする複写物生成方法。
【請求項１５】
請求項１４に記載の複写物生成方法であって、
前記画像補正工程において、前記スキャンモードの設定に応じて、前記画像補正処理の内容が設定されることを特徴とする複写物生成方法。
【請求項１６】
請求項１２ないし請求項１５のいずれかに記載の複写物生成方法であって、
前記出力情報生成工程において、前記複写物の出力状態を、フルカラー出力、単色カラー出力、およびモノクロ出力の中から選択可能であることを特徴とする複写物生成方法。
【請求項１７】
コンピュータによって実行されることにより、前記コンピュータを請求項７ないし請求項１１のいずれかに記載の制御装置として機能させることを特徴とするプログラム。
【発明の詳細な説明】
【０００１】
【発明の属する技術分野】
本発明は、大判原稿（例えばＡ１サイズ以上の原稿）を複写する複写システムに関する。
【０００２】
【従来の技術】
地図やポスターの複製を目的とした大型の複写システムでは、例えばＡ１サイズ以上の原稿を一度に読み込む事ができることが必要になる。地図の場合であれば、Ａ２サイズのＢｏｏｋ型に閉じられた図面、つまりは見開き状態にするとＡ１サイズとなる図面が図面ファイルとして扱われる場合が多く、このサイズの図面が一度に複写できることが、作業効率を考えた上でもっとも望ましいとされている。
【０００３】
大型の原稿を複写するための複写システムとしては、カラー専用、あるいはモノクロ専用の複写システムが、それぞれに従来から周知であるが、カラーとモノクロの両方の原稿の複写を行うには、カラープリンタを備えるカラー専用の複写システムを用い、カラー原稿、モノクロ原稿に関わらず、カラー原稿扱いで複写を行なう態様か、あるいは、カラー専用、およびモノクロ専用の複写システムをそれぞれに備え、用途に応じて使い分ける態様が一般的である。
【０００４】
前者の場合、カラー原稿、モノクロ原稿両方の複写を１つのシステムで行なうことが可能であるが、カラープリンタにはインクジェット方式を採用するものが多いため、大判サイズの複写を行う場合は、印字に長時間を要したり、インキの消費量が多いので印字コストが高いという特徴がある。
【０００５】
一方、後者の場合には、モノクロ用、カラー用はそれぞれ別個のシステムであるため、原稿を読み取るためのスキャナを、それぞれのシステムで別に備えることになる。原稿の種類に応じた使い分けには問題がないが、大判の原稿を読み取ることを目的する場合、スキャナも、必然的に大きなサイズのものを備えることになり、設置場所の確保が重要な問題となる。
【０００６】
また、このような問題を解消するものとして、１つの複写システムに、カラー用、モノクロ用の２種類のプリンタを備え、原稿種類を判別し、その結果に応じて使用するプリンタを選択することにより、複写コストおよびスピードを最適化することを可能とする技術も知られている（例えば特許文献１参照。）。
【０００７】
【特許文献１】
特開平４−１９９９８２号公報
【０００８】
【発明が解決しようとする課題】
ところで、上記の特許文献１の技術においては、原稿の種類に応じて使用するカラープリンタとモノクロプリンタと自動的に決定することにより、印刷時間の短縮を図ってはいるが、原稿内容の読み取りに要する時間（スキャン時間）は原稿の種類に依らずほぼ一定である。しかしながら、上述の地図のように大判サイズの原稿を、複数のプリンタを備える複写システムによって複写する場合において、実質的に時間を要するのは、プリンタの選択作業よりも、むしろスキャナによる原稿内容の読み取り（スキャニング）工程と、カラーコレクション処理やラスタライズ処理などのデータ処理工程、さらにはプリンタによる印字工程である。特に、モノクロの複写物を作成したい場合に、カラー情報のスキャニングは不要であり、そうしたスキャニングを行うことは、複写に要する全体の時間を律速する要因となってしまうことになる。上記の特許文献１の技術においては、このような場合でもスキャン時間は同じであり、柔軟な対応を行うことができない。
【０００９】
本発明では、上記課題に鑑み、１台のスキャナによりスキャニングを行い、所望する複写物の出力状態に応じて、柔軟なな複写処理を行える複写システムを提供することを目的とする。
【００１０】
【課題を解決するための手段】
上記課題を解決するため、請求項１の発明は、複写物を生成するシステムであって、ａ）カラー原稿を読み取り可能なスキャナと、ｂ）フルカラー出力および単色カラー出力を選択的に実行するカラープリンタと、ｃ）モノクロ出力を行うモノクロプリンタと、ｄ）前記システムを制御する制御装置と、を備え、前記制御装置は、ｄ−１）複写物の出力状態を決定し、かつ、前記スキャナにおけるスキャンモードを複数のスキャンモード選択肢の中から決定して、前記出力状態と前記スキャンモードとについての設定情報を含む出力情報を生成する出力情報生成手段と、ｄ−２）前記出力情報に基づいて定められるスキャン条件に従って前記スキャナを制御し、前記スキャナに原稿画像データを生成させるスキャナ制御手段と、ｄ−３）前記出力情報に応じて前記カラープリンタおよび前記モノクロプリンタのいずれかから定まる出力先プリンタにて印字可能な複写データを、前記原稿画像データに基づいて生成する複写データ生成手段と、ｄ−４）前記出力情報に基づいて定められる出力条件に従って、前記複写データに基づく出力が実行されるように、前記出力先プリンタを制御するプリンタ制御手段と、を備えることを特徴とする。
【００１１】
また、請求項２の発明は、請求項１に記載の複写システムであって、前記スキャンモードは、前記スキャナが検出する全ての色成分情報を用いて前記原稿画像データが生成されるフルモードと、前記スキャナが検出する色成分情報のうちの１つを用いて前記原稿画像データが生成される単色モードと、のいずれかから選択されることを特徴とする。
【００１２】
また、請求項３の発明は、請求項２に記載の複写システムであって、前記制御装置が、前記原稿画像データに対し、所定の画像補正処理を施す画像補正手段を、さらに備えることを特徴とする。
【００１３】
また、請求項４の発明は、請求項３に記載の複写システムであって、前記スキャンモードの設定に応じて、前記画像補正処理の内容を設定することを特徴とする。
【００１４】
また、請求項５の発明は、請求項１ないし請求項４のいずれかに記載の複写システムであって、前記複写物の出力状態を、フルカラー出力、単色カラー出力、およびモノクロ出力の中から選択可能であることを特徴とする。
【００１５】
また、請求項６の発明は、請求項１ないし請求項５のいずれかに記載の複写システムであって、前記スキャナが、Ａ１サイズ以上のサイズを有する原稿をスキャニング可能であることを特徴とする。
【００１６】
また、請求項７の発明は、カラー原稿を読み取り可能なスキャナと、フルカラー出力および単色カラー出力を選択的に実行するカラープリンタと、モノクロ出力を行うモノクロプリンタと、を備え、複写物を生成する複写システムの制御装置であって、複写物の出力状態を決定し、かつ、前記スキャナにおけるスキャンモードを複数のスキャンモード選択肢の中から決定して、前記出力状態と前記スキャンモードとについての設定情報を含む出力情報を生成する出力情報生成手段と、前記出力情報に基づいて定められるスキャン条件に従って前記スキャナを制御し、前記スキャナに原稿画像データを生成させるスキャナ制御手段と、前記出力情報に応じて前記カラープリンタおよび前記モノクロプリンタのいずれかから定まる出力先プリンタにて印字可能な複写データを、前記原稿画像データに基づいて生成する複写データ生成手段と、前記出力情報に基づいて定められる出力条件に従って、前記複写データに基づく出力が実行されるように、前記出力先プリンタを制御するプリンタ制御手段と、を備えることを特徴とする。
【００１７】
また、請求項８の発明は、請求項７に記載の制御装置であって、前記スキャンモードは、前記スキャナが検出する全ての色成分情報を用いて前記原稿画像データが生成されるフルモードと、前記スキャナが検出する色成分情報のうちの１つを用いて前記原稿画像データが生成される単色モードと、のいずれかから選択されることを特徴とする。
【００１８】
また、請求項９の発明は、請求項８に記載の制御装置であって、前記原稿画像データに対し、所定の画像補正処理を施す画像補正手段を、さらに備えることを特徴とする。
【００１９】
また、請求項１０の発明は、請求項９に記載の制御装置であって、前記スキャンモードの設定に応じて、前記画像補正処理の内容を設定することを特徴とする。
【００２０】
また、請求項１１の発明は、請求項７ないし請求項１０のいずれかに記載の制御装置であって、前記複写物の出力状態を、フルカラー出力、単色カラー出力、およびモノクロ出力の中から選択可能であることを特徴とする。
【００２１】
また、請求項１２の発明は、カラー原稿を読み取り可能な単一のスキャナと、フルカラー出力を行うカラープリンタと、モノクロ出力を行うモノクロプリンタと、前記スキャナ、前記カラープリンタ、および前記モノクロプリンタを制御す制御装置と、を備える複写システムを用いて複写物を生成する方法であって、複写物の出力状態を決定し、かつ、前記スキャナにおけるスキャンモードを複数のスキャンモード選択肢の中から決定して、前記出力状態と前記スキャンモードとについての設定情報を含む出力情報を生成する出力情報生成工程と、前記出力情報に基づいて定められるスキャン条件に従って前記スキャナを制御することにより、前記スキャナに原稿画像データを生成させる原稿画像生成工程と、前記出力情報に応じて前記カラープリンタおよび前記モノクロプリンタのいずれかから定まる出力先プリンタにて印字可能な複写データを、前記原稿画像データに基づいて生成する複写データ生成工程と、前記出力情報に基づいて定められる出力条件に従って前記出力先プリンタを制御することにより、前記複写データに基づく出力を実行する出力工程と、を備えることを特徴とする。
【００２２】
また、請求項１３の発明は、請求項１２に記載の複写物生成方法であって、前記出力情報生成工程において、前記スキャンモードは、前記スキャナが検出する全ての色成分情報を用いて前記原稿画像データが生成されるフルモードと、前記スキャナが検出する色成分情報のうちの１つを用いて前記原稿画像データが生成される単色モードと、のいずれかから選択されることを特徴とする。
【００２３】
また、請求項１４の発明は、請求項１３に記載の複写物生成方法であって、前記原稿画像データに対し所定の画像補正処理を施す画像補正工程を、含むことを特徴とする。
【００２４】
また、請求項１５の発明は、請求項１４に記載の複写物生成方法であって、前記画像補正工程において、前記スキャンモードの設定に応じて、前記画像補正処理の内容が設定されることを特徴とする。
【００２５】
また、請求項１６の発明は、請求項１２ないし請求項１５のいずれかに記載の複写物生成方法であって、前記出力情報生成工程において、前記複写物の出力状態を、フルカラー出力、単色カラー出力、およびモノクロ出力の中から選択可能であることを特徴とする。
【００２６】
また、請求項１７の発明は、コンピュータによって実行されることにより、前記コンピュータを請求項７ないし請求項１１のいずれかに記載の制御装置として機能させることを特徴とする。
【００２７】
【発明の実施の形態】
＜システム構成＞
図１は、本発明の実施の形態に係る複写システム１００の構成の概略を示す図である。複写システム１００は、コントローラ１と、スキャナ２と、カラープリンタ３と、モノクロプリンタ４とを主として備えている。なお、図１においては、スキャナ２は、コントローラ１と直接に信号線ＣＬにて接続されており、カラープリンタ３およびモノクロプリンタ４は、それぞれコントローラ１に対してネットワークＮを通じた接続がなされている態様を図示しているが、接続の仕方はこれらに限定されない。
【００２８】
コントローラ１は、複写システム１００全体の動作を制御する制御装置であり、コンピュータによって実現されるものである。コントローラ１により実現される機能については後述する。
【００２９】
スキャナ２は、好ましくは、Ａ１サイズ以上の原稿を一度にスキャンできる大型スキャナである。スキャナ２は、ＲＧＢの３原色を受光可能なＣＣＤ素子を図示しない読取部に備え、原稿をライン状に逐次スキャンすることにより、原稿画像データＤ４（図４）を生成する。
【００３０】
カラープリンタ３およびモノクロプリンタ４は、いずれも、スキャナ２にてスキャンできる原稿サイズ以上の用紙に印刷することが可能な大型のプリンタである。カラープリンタ３は、例えばインクジェット方式により、ＣＭＹＫフルカラーおよび単色カラー印字を選択的に行うことができるプリンタである。モノクロプリンタ４は、トナーを用いた電子写真方式のプリンタである。
【００３１】
本実施の形態にかかる複写システム１００においては、スキャナにより所定の条件に従って原稿を読み取って複写データを生成し、所定の条件に従って選択されたカラープリンタ３あるいはモノクロプリンタ４のいずれかにより、該複写データに基づく印字を実行することになる。
【００３２】
図２は、コントローラ１の構成を説明するためのブロック図である。コントローラ１は、オペレータが各種の指示を入力するためのマウス５ａやキーボード５ｂなどからなる操作部５、ディスプレイ等の表示部６、ハードディスクなどにより構成され、該コントローラ１における種々の処理や、スキャナ２、カラープリンタ３、モノクロプリンタ４などの制御のためのプログラム７ｐなどを記憶するための記憶部７、ＭＯ（光磁気ディスク）など種々の可搬性の記録媒体との間でデータのリード／ライトを行うためのＲ／Ｗ部８、信号線ＣＬにより接続されたスキャナ２やネットワークＮを介して接続されたカラープリンタ３やモノクロプリンタ４との間でデータの受け渡しを行うためのインターフェースとしての通信部９、およびＣＰＵ１０ａ、ＲＯＭ１０ｂ、およびＲＡＭ１０ｃから構成された制御部１０が、主として備わっている。
【００３３】
図３は、コントローラ１の制御部１０において実現される各部の機能を説明するための図である。また、図４は、制御部１０において実現される各部と、各部において生成される種々のデータとの関係を説明するための図である。制御部１０においては、記憶部７に記憶されている所定のプログラム７ｐが実行されることにより、ＣＰＵ１０ａ、ＲＯＭ１０ｂ、およびＲＡＭ１０ｃの作用によって、複写条件設定部２０と、補正処理部３０と、複写データ生成部４０と、スキャナ制御部５０と、カラープリンタ制御部６０と、モノクロプリンタ制御部７０とが実現される。
【００３４】
複写条件設定部２０は、複写システム１００において実行しようとする複写処理の基本的な条件設定を担う。複写条件設定部２０は、複写物の出力状態（ＣＭＹＫフルカラーか否か）と、スキャンモード（フルモードか単色モードか）とについての設定情報を含む出力情報データＤ１を生成する出力情報設定部２１と、スキャナ２におけるスキャン条件を、出力情報データＤ１の内容等に基づいて設定することによりスキャン条件データＤ２を生成するスキャン条件設定部２２と、カラープリンタ３あるいはモノクロプリンタ４における出力条件を出力情報データＤ１等に基づいて設定することにより出力条件データＤ３を生成する出力条件設定部２３とを主として備える。
【００３５】
ここで、スキャンモードとは、スキャナ２におけるスキャン方法を表すものである。複写システム１００においては、原稿からの原稿画像データＤ４の生成方法に応じて、フルモードと単色モードとの２通りのスキャンモードが定められている。言い換えれば、コントローラ１は、スキャンモードについての複数のスキャンモード選択肢（ここではフルモードおよび単色モードの２つのスキャンモード選択肢）の中から、実際に使用するスキャンモードを選択して決定するのである。
【００３６】
フルモードは、スキャナ２のＣＣＤ素子が受光したＲ、Ｇ、Ｂの色情報（色信号）の全てを用いて原稿画像データＤ４を生成するモードである。言い換えれば、フルモードは、スキャナ２によって検出される全ての色成分情報を用いて原稿画像データが生成されるモードである。一方、単色モードは、スキャナ２のＣＣＤ素子が受光したＲ、Ｇ、Ｂの色情報（色信号）のうち、いずれかの色情報のみを用いて原稿画像データＤ４を生成するモードである。言い換えれば、単色モードは、スキャナ２によって検出される色成分情報のうちの１つを用いて原稿画像データが生成されるモードである。すなわち、実質的には、明度情報のみを有するグレースケールに基づく原稿画像データＤ４を生成するモードである。単色モードの場合、利用するのがＲ、Ｇ、Ｂいずれかの色情報のみであるので、スキャンに要する時間が短縮されるほか、画像データのサイズが小さくなるので、コントローラ１における種々の処理に要する時間も短縮されるという利点がある。すなわち、フルモードは複写物における原稿の再現性を重視するモードであるのに対して、単色モードは高速なスキャンを可能とするモードであるといえる。また、原稿がモノクロ原稿である場合には、単色モードでスキャンする場合にどの色成分の情報を利用しても原理的には同じ原稿画像データＤ４が生成される。しかしながら、原稿がカラー原稿の場合は、使用する色成分によっては、原稿の情報を原稿画像データＤ４が十分に反映しない場合も起こりうるので、原稿内容に適した色成分を選択する必要がある。例えば、モノクロ原稿に複写したくない朱書きコメント等が記載されている場合であれば、Ｇ成分の情報を利用することで該朱書きコメントの読み取りを抑制することが可能であり、また、いわゆる青焼き（湿式コピー）原稿を複写する場合であれば、Ｂ成分の情報を取得することで、実用上は十分な原稿画像データＤ４を生成することが可能である。
【００３７】
補正処理部３０は、スキャナ２におけるスキャンにより生成した原稿画像データＤ４に対し、カラープリンタ３あるいはモノクロプリンタ４における出力に適した補正を施すために備わる。補正処理部３０は、各種補正のパラメータ設定等を行い補正条件データＤ５を生成する補正条件設定部３１と、補正条件データＤ５に従って原稿画像データＤ４に対しそれぞれの補正を行う、トーン補正処理部３２と、シャープネス補正処理部３３と、カラーコレクション処理部３４とを主として備える。トーン補正処理部３２は、原稿画像データＤ４に対するトーンカーブ補正を担う。シャープネス補正処理部３３は、例えばアンシャープマスキングなどのシャープネス処理を担う。カラーコレクション処理部３４は、スキャナ２とカラープリンタ３との間の色再現性を実現するために必要なＩＣＣプロファイル設定などを担う。補正条件データＤ５に従って各種の補正が実行された結果、補正画像データＤ６が生成されることになる。
【００３８】
複写データ生成部４０は、補正画像データＤ６に基づいて、カラープリンタ３あるいはモノクロプリンタ４にて出力可能な複写データＤ７を生成するために備わる。複写データ生成部４０はその目的のために、ＲＧＢ表色系にて表される画像データをＣＭＹＫ表色系もしくはグレースケールのデータに変換する色空間変換部４１と、階調を有する画像データから、プリンタにて印字可能な２値データとしての複写データを生成するラスタライズ処理（２値化処理）を担うラスタライズ処理部４２とを主として備える。
【００３９】
スキャナ制御部５０は、スキャナ２の動作を制御するために備わる。スキャナ制御部５０がスキャン条件データＤ２に従ってスキャナ２を動作させることにより、原稿画像データＤ４が取得される。
【００４０】
カラープリンタ制御部６０およびモノクロプリンタ制御部７０は、それぞれ、対応するカラープリンタ３、およびモノクロプリンタ４の動作を制御するために備わる。カラープリンタ制御部６０あるいはモノクロプリンタ制御部７０が、出力条件データＤ３に従って、カラープリンタ３あるいはモノクロプリンタ４を制御することにより、複写データＤ７に基づいた印字が実行される。
【００４１】
なお、コントローラ１においては、操作部５を介した選択あるいは入力などの操作メニューや、種々の処理についての処理状況、スキャナ２、カラープリンタ３、およびモノクロプリンタ４の動作状況などを、表示部６にて表示させつつ処理を行うことができる、いわゆるＧＵＩ（Ｇｒａｐｈｉｃａｌ  Ｕｓｅｒ  Ｉｎｔｅｒｆａｃｅ）が、制御部１０、操作部５、表示部６の機能により実現されている。制御部１０に実現される各部における処理も、このＧＵＩを用いて行われる。
【００４２】
＜複写処理の流れ＞
図５は、本実施の形態に係る複写システム１００における複写処理の流れを示す図である。以下、図５に基づき、複写処理の流れを説明する。
【００４３】
スキャナ２の所定位置に複写しようとする原稿を配置した後、まずは、出力情報設定部２１の作用により表示部６に表示される設定メニューに従って、出力情報の設定が行われる（ステップＳ１）。具体的には、複写物の出力状態をＣＭＹＫフルカラーとするか、単色カラーとするか、あるいはモノクロとするかについての選択をオペレータが行う。そしてフルカラー出力以外の場合はさらに、スキャンモードをフルモードとするか単色モードとするかについての選択をオペレータ行うことになる。なお、フルカラー出力の場合は、強制的にフルモードが選択されるので、オペレータによる特段の操作は不要である。このように、複写物の出力状態がオペレータの選択（ないし指定）によりＣＭＹＫフルカラーに設定されるときは、コントローラ１は、その選択に応じて、スキャンモードをフルモードに設定（決定）する。また、複写物の出力状態がオペレータの選択によりＣＭＹＫフルカラー以外（すなわち単色カラーあるいはモノクロ）に設定されるときは、オペレータはさらにスキャンモードについての設定動作を行い、コントローラ１は、そのスキャンモードに関する選択に応じて、スキャンモードを、フルモードあるいは単色モードのいずれかに設定（決定）する。
【００４４】
これらの選択が実行されることにより、出力情報データＤ１が生成され、記憶部７に記憶される。以降の処理は、出力情報データＤ１の内容に基づいて実行されることになる。
【００４５】
出力情報データＤ１が確定すると、次に、スキャン条件設定部２２の作用により表示部６に表示される設定メニューに従って、スキャン条件の設定が行われる（ステップＳ２）。スキャン条件としては、例えば、スキャンモードに応じたスキャンスピードの設定や、単色モードのスキャンの場合に使用する色成分の設定など、出力情報データＤ１の内容に基づく内容に加えて、スキャン領域の設定や、ズームの設定、解像度の設定など、デフォルトとして所定の設定がなされている項目がある。後者の諸項目の設定値を、適宜変更することも可能である。また、原稿をラフスキャンして、その結果を表示部６にプレビューとして表示させることができ、そのプレビューに基づいて種々の設定が行える態様であってもよい。スキャン条件の設定結果は、スキャン条件データＤ２として、記憶部７に記憶される。
【００４６】
次に、補正条件設定部３１の作用により表示部６に表示される設定メニューに従って、原稿画像データＤ４に対し、種々の補正を行うための補正条件の設定が行われる（ステップＳ３）。具体的には、複写物の出力状態に応じて、トーン補正処理部３２によるトーンカーブ補正処理、シャープネス補正処理部３３によるシャープネス補正処理、およびカラーコレクション処理部３４によるカラーコレクション処理に関する所定のパラメータについての設定を行うことになる。複写物の出力をフルカラーで行うか、単色カラーで行うか、あるいはモノクロで行うかによって、使用されるプリンタが異なるので、出力時の解像度や色再現性が異なることや、また、フルカラー出力するか否かによって、グレーバランスの調整の要否が異なることなどから、それぞれの出力方法において、最適な条件で複写物を生成するために必要とされる補正処理内容は異なるからである。補正条件の設定結果は、補正条件データＤ５として、記憶部７に記憶される。
【００４７】
なお補正条件データＤ５は、予め所定の設定毎にグループ化して記憶されていてもよい。
【００４８】
次に、出力条件設定部２３の作用により表示部６に表示される設定メニューに従って、複写データＤ７を出力するに際しての条件の設定が行われる（ステップＳ４）。出力条件としては、例えば、カラープリンタ３による単色カラー出力の場合の印字色（Ｃ、Ｍ、Ｙ、Ｋ）の設定など、出力情報データＤ１の内容に基づく内容に加えて、出力部数の設定や、ズームの設定、解像度の設定など、デフォルトとして所定の設定がなされている項目がある。後者の諸項目の設定値を、適宜変更することも可能である。出力条件の設定結果は、出力条件データＤ３として、記憶部７に記憶される。
【００４９】
以上のような種々の設定が終了すると、スキャナ制御部５０の作用により、スキャナ２における原稿のスキャンが、選択されたスキャンモードおよびスキャン条件データＤ２に基づいて実行される（ステップＳ５）。
【００５０】
スキャンモードとしてフルモードが選択されている場合は、スキャナのＣＣＤ素子が読み取ったＲ、Ｇ、Ｂすべての色情報から原稿画像データＤ４が生成される、ＲＧＢスキャンが実行される（ステップＳ６ａ）。スキャンモードとして単色モードが選択されている場合は、スキャナのＣＣＤ素子が読み取ったＲ、Ｇ、Ｂの色情報のうち、スキャン条件データＤ２にて設定されている色成分に関する色信号のみから原稿画像データＤ４が生成される、単色スキャンが実行される（ステップＳ６ｂ）。
【００５１】
それぞれのスキャンによって、原稿画像データＤ４が得られると、そのデータに対応した補正条件データＤ５に基づいて、補正処理部３０の各部により補正処理が実行される。ＲＧＢスキャンにより得られた原稿画像データＤ４に対しては、トーンカーブ補正処理、シャープネス補正処理、およびカラーコレクション処理が、それぞれに実行される（ステップＳ７ａ）。一方、単色スキャンの場合は、トーンカーブ補正処理、シャープネス補正処理のみが実行される（ステップＳ７ｂ）。補正処理の結果得られる補正画像データＤ６は、ＲＡＭ１０ｃに一時的に記憶される。また、後に再利用することを考慮して、記憶部７にも記憶される態様であってもよい。
【００５２】
補正画像データＤ６が得られると、次に、該補正画像データＤ６に基づき、複写データ生成部４０にて、カラープリンタ３あるいはモノクロプリンタ４において実際に印字対象となる複写データＤ７が生成される。
【００５３】
ＲＧＢスキャンを経て生成された補正画像データＤ６の場合、ＲＧＢ表色系で表されているので、まずは、色空間変換部４１において色空間変換処理がなされるが、出力情報データＤ１に設定されている複写物の出力状態に応じて、その処理内容は異なる（ステップＳ８）。
【００５４】
複写物の出力をＣＭＹＫフルカラーで行う場合には、色空間変換部４１においてＲＧＢ表色系を有する補正画像データＤ６がＣＭＹＫ変換され（ステップＳ９ａ）、ラスタライズ処理部４２による２値化処理（ステップＳ１０ａ）を経て、ＣＭＹＫ各色の版データからなる複写データＤ７が生成される。一方、出力条件データＤ３に設定された印字色に従って、Ｃ、Ｍ、Ｙ、Ｋいずれかの単色カラー出力を行う場合には、色空間変換部４１においてＲＧＢ表色系を有する補正画像データＤ６が単色変換され（ステップＳ９ｂ）、ラスタライズ処理部４２による２値化処理（ステップＳ１０ｂ）を経て、明度情報のみを有するグレースケールの版データからなる複写データＤ７が生成される。なお、Ｋ単色の出力は、モノクロ出力を行うことで対応することになる。
【００５５】
なお、単色スキャンを経て生成された補正画像データＤ６の場合は、すでにグレースケールで表されているので、２値化処理のみがなされて（ステップＳ１０ｂ）複写データＤ７が生成されることになる。
【００５６】
生成された複写データＤ７は、通信部９を介して、出力条件データＤ３においてそれぞれに指定されている出力方法に対応したプリンタへと転送される。ＣＭＹＫ表色系で表された複写データは、フルカラー出力をするために、カラープリンタへと転送される（ステップＳ１２ａ）。グレースケールで表された複写データＤ７の場合は、転送先となるプリンタが出力条件に応じて異なる（ステップＳ１１）。すなわち、出力条件データＤ３においてＣ、Ｍ、Ｙいずれかの単色カラーにて出力するように定められている場合には、複写データＤ７は、カラープリンタ３へと転送されることになる（ステップＳ１２ｂ）。一方、モノクロ出力するよう定められている場合には、複写データＤ７は、モノクロプリンタ４へと転送されることになる（ステップＳ１２ｃ）。
【００５７】
カラープリンタ３およびモノクロプリンタ４は、それぞれ、複写データＤ７を受け取ると、出力条件データＤ３に基づくカラープリンタ制御部６０あるいはモノクロプリンタ制御部７０の制御に従って、該複写データＤ７に対応する印字を行い、完成した複写物を出力する。すなわち、出力情報データＤ１において定められた通りの状態（フルカラー、Ｃ、Ｍ、Ｙいずれかの単色カラー、モノクロ）の複写物が出力されることになる。
【００５８】
上述のように、本実施の形態に係る複写システム１００においては、所望する複写物の出力状態の選択と、スキャンモードの選択とを行うことにより、該選択結果に応じたスキャンおよび印字の処理が実行されるので、原稿の内容と複写の目的とに合致した選択を行って出力情報データＤ１を与えることにより、所望する出力状態の複写物を、高い自由度で、効率的にかつ確実に得ることができる。
【００５９】
例えば、モノクロ原稿からモノクロの複写物を得る場合であれば、単色モードおよびモノクロ出力をそれぞれ選択することで、モノクロ専用の複写システムと実質的に同等の処理を行うことができる。
【００６０】
これに対し、フルカラーの原稿からフルカラーの複写物を得る場合であれば、フルモードでスキャンしてフルカラー出力を行うことで、カラー専用の複写システムと実質的に同等の処理を行うことができる。
【００６１】
また、カラー原稿からモノクロの複写物を得る場合であれば、カラー原稿が有する明度情報をできるだけ反映した複写物を得る場合であれば、フルモードでスキャンを行ってモノクロ出力を行うように選択すればよいし、印字スピードの短縮を望む場合は、単色モードでスキャンを行った後、モノクロ出力を行うように設定すればよい。このような選択の自由度は、従来のカラー出力あるいはモノクロ出力それぞれの専用システムのみでは実現できなかったことである。
【００６２】
あるいは、必要であれば、カラー原稿をＲ、Ｇ、Ｂいずれかの単色モードでスキャンして得られた原稿画像データＤ４を用いて、Ｃ、Ｍ、Ｙいずれかの単色カラー出力を行うなどの態様も可能である。
【００６３】
次に、効率化の観点について考察する。図６は、Ａ１サイズのモノクロ原稿からモノクロ出力を行う場合のスキャンから印字に至るまでの総処理時間を例示的に示す図である。図６（ａ）（ｂ）はいずれも、１枚のモノクロ原稿から１０枚の複写物を得る場合の例を示しており、図６（ａ）は、フルモードでスキャンしてこれをカラープリンタ３でモノクロ出力する場合、図６（ｂ）は、単色モードでスキャンしてモノクロプリンタ４で出力する場合をそれぞれ示している。図６（ａ）の場合、原稿１枚あたりのスキャンに約９０秒、コントローラ１内部のデータ処理に原稿１枚あたり約２分、カラープリンタ３における印字に複写物１枚あたり約２分要するものとすると、単純化のために１つの処理が終了した時点で次の処理にすぐに移行すると仮定しても、スキャンの開始から複写の終了までに要する時間は、２３分３０秒となる。これに対し、図６（ｂ）の場合、原稿１枚あたりのスキャンに約４５秒、コントローラ１内部のデータ処理に原稿１枚あたり約１分、カラープリンタ３における印字に複写物１枚あたり約１５秒要するものとすると、スキャンの開始から複写の終了までに要する時間は、４分１５秒となる。これは、後者は前者のおおよそ１／４〜１／５程度の時間で複写を行えることを示している。この差は、カラープリンタ３とモノクロプリンタ４との印字方式の違いに主に依存するものである。
【００６４】
一方、図６（ｃ）（ｄ）は、１０枚のモノクロ原稿から複写物を１部ずつ得る場合の例を示しており、図６（ｃ）は、フルモードでスキャンしてこれをカラープリンタ３でモノクロ出力する場合、図６（ｄ）は、単色モードでスキャンしてモノクロプリンタ４で出力する場合をそれぞれ示している。それぞれの場合の１枚あたりのスキャン、データ処理、および印字に要する処理時間は、図６（ａ）（ｂ）と同じであるとする。図６（ｃ）の場合は、総処理時間は図６（ａ）と同じ２３分３０秒であるのに対し、図６（ｄ）は、総処理時間は１１分となる。すなわち、後者は前者の約１／２程度の時間で複写を行えることを示している。すなわち、前者はカラー情報を含むサイズの大きなデータを処理することになるためにその処理時間が大きく、かつ、印字にも時間がかかることから両者が律速するのに対して、後者は、データ処理に要する時間が全体を律速するものの、その時間そのものが前者に比して小さいことから、データ処理時間の違いが全体の処理時間の違いに反映している。すなわち、この結果は、出力状態に合わせてスキャンモードを適宜選択できることにより、スキャンに要する時間、およびデータ処理に要する時間の短縮が実現されることを示しており、複写処理の効率化の実現を示すものである。
【００６５】
実際の処理においては、スキャナ２のＣＣＤ素子がライン状に原稿を読み取るごとに、読み取られたデータは転送されて、処理に供されるといった並行処理がなされることから、全体の時間は図６に示したものよりも小さくなるが、全体の傾向としては、図６の結果と変わることはない。
【００６６】
以上説明したように、本実施の形態に係る複写システム１００においては、カラープリンタとモノクロプリンタとを備えるとともに、所望する出力状態とスキャンモードとを適宜選択することを可能とすることにより、自由度の高く、かつ効率的な複写処理を行うことができる。
【００６７】
＜変形例＞
上述の実施の形態では、フルカラー出力、単色カラー出力、モノクロ出力に対応する場合について説明しているが、さらに２色分解出力や、特色出力に対応することができる態様であってもよい。
【００６８】
上述の実施の形態では、システムの使用者が出力情報データＤ１を設定する態様であったが、原稿をラフスキャンしたデータに基づいて、出力情報データＤ１を自動生成できる態様であってもよい。
【００６９】
スキャナ２、カラープリンタ３およびモノクロプリンタ４がそれぞれデータを一時的に記憶するデータバッファを備えていてもよい。これにより、さらに処理時間の短縮が可能となる。
【００７０】
スキャナ２、カラープリンタ３およびモノクロプリンタ４をそれぞれに、複数台ずつ備えるシステムであってもよい。
【００７１】
【発明の効果】
以上、説明したように、請求項１ないし請求項１７の発明によれば、スキャナとカラープリンタとモノクロプリンタとを備える複写システムにおいて、複写データ生成に用いられる原稿画像データを取得する際のスキャンモードを、複数のスキャンモード選択肢の中から選択できるので、出力状態とスキャンモードとの組み合わせの自由度を増大させて、より柔軟な複写処理を行うことが可能になる。
【００７２】
また、請求項２ないし請求項４、請求項８ないし請求項１０および請求項１３ないし請求項１５の発明によれば、それぞれのスキャンモードを使い分けることにより、原稿の再現性を重視した複写物の生成と、高速性を重視した複写物の生成とを選択的に行うことができる。
【００７３】
また、請求項３ないし請求項４、請求項９ないし請求項１０および請求項１４ないし請求項１５の発明によれば、複写物を生成するプリンタの能力に応じた画像補正を行うことができるので、画質が最適な状態に調整された複写物を生成することができる。
【００７４】
また、請求項４、請求項１０およびの請求項１５の発明によれば、生成された原稿画像データに合わせた画像補正処理を行うことができるので、不要な画像補正処理を行うことがなくなり、複写処理が効率化される。
【００７５】
また、請求項５、請求項１１および請求項１６の発明によれば、効率的な複写処理を行えるとともに、複写物の出力状態に高い自由度を持たせることができる。
【００７６】
また、請求項６の発明によれば、大判の原稿に対する複写処理を、所望する出力状態に応じて効率的に行うことができる。
【図面の簡単な説明】
【図１】複写システム１００の構成の概略を示す図である。
【図２】コントローラ１の構成を説明するためのブロック図である。
【図３】コントローラ１の制御部１０において実現される各部の機能を説明するための図である。
【図４】制御部１０において実現される各部と、各部において生成される種々のデータとの関係を説明するための図である。
【図５】複写システム１００における複写処理の流れを示す図である。
【図６】Ａ１サイズのモノクロ原稿からモノクロ出力を行う場合のスキャンから印字に至るまでの総処理時間を例示的に示す図である。
【符号の説明】
１  コントローラ
２  スキャナ
３  カラープリンタ
４  モノクロプリンタ
１００  複写システム
ＣＬ  信号線
Ｎ  ネットワーク
【図１】
2004153644.tif 000003
【図２】
2004153644.tif 000004
【図３】
2004153644.tif 000005
【図４】
2004153644.tif 000006
【図５】
2004153644.tif 000007
【図６】
2004153644.tif 000008